(57)【要約】【課題】給電ラインの瞬断発生時に、より的確に演算部の動作を維持することのできる電子制御装置を提供する。【解決手段】電子制御装置１は、電源リレー４を介してバッテリ電圧ＶＢＴが印加される給電ラインＬ２０を有し、動作電圧ＶＯＭがリセット電圧閾値以下になることに基づいてマイコン１０のリセットを行う。電子制御装置１は、イグニッションスイッチ３がオン状態になった際にバッテリ電圧ＶＢＴが印加される信号ラインＬ１０と、信号ラインＬ１０と給電ラインＬ２０とを接続するバイパスラインＬ３０と、バイパスラインＬ３０の接続状態及び遮断状態を切り替えるスイッチング素子としてのＭＯＳＦＥＴ１６と、信号ラインＬ１０に設けられる整流素子としてのダイオードＤ３０と、給電ラインＬ２０の電圧が所定の電圧閾値以下であるときにＭＯＳＦＥＴ１６をオンさせる駆動部１７とを備える。【選択図】図１
2016208627.tif 000002
【特許請求の範囲】
【請求項１】
電源リレー（４）を介してバッテリ電圧（ＶＢＴ）が印加される給電ライン（Ｌ２０）を有し、当該給電ラインを介して供給されるバッテリ電圧に基づいて動作電圧（ＶＯＭ）を生成するとともに、当該動作電圧がリセット電圧閾値以下になることに基づいて演算部（１０）のリセットを行う電子制御装置（１）であって、
イグニッションスイッチ（３）がオン状態になった際にオン信号としてバッテリ電圧が印加される信号ライン（Ｌ１０）と、
前記信号ラインと前記給電ラインとを接続するバイパスライン（Ｌ３０）と、
オン状態であるときに前記バイパスラインを接続状態とし、オフ状態であるときに前記バイパスラインを遮断状態にするスイッチング素子（１６）と、
前記信号ラインに設けられる整流素子（Ｄ３０）と、
前記給電ラインに印加されている電圧が所定の電圧閾値以下であるときに前記スイッチング素子をオンさせる駆動部（１７）と、を備えることを特徴とする電子制御装置。
【請求項２】
請求項１に記載の電子制御装置において、
前記所定の電圧閾値は、前記信号ラインに供給される電圧に基づいて設定されていることを特徴とする電子制御装置。
【請求項３】
請求項１に記載の電子制御装置において、
前記整流素子は、前記スイッチング素子がオン状態であるときに前記信号ラインから前記給電ラインに電流を流すことを特徴とする電子制御装置。
【請求項４】
請求項１に記載の電子制御装置において、
前記スイッチング素子がオン状態を継続している時間であるオン継続時間を計測し、当該オン継続時間に基づいて前記給電ラインが瞬断状態及び断線状態のいずれであるかを判定する異常判定部（１０）を更に備えることを特徴とする電子制御装置。
【請求項５】
請求項４に記載の電子制御装置において、
前記異常判定部は、前記給電ラインが断線状態であると判定した場合には、報知装置（５）を通じて報知を行うことを特徴とする電子制御装置。
【請求項６】
請求項４に記載の電子制御装置において、
前記異常判定部は、前記給電ラインが断線状態であると判定した場合には、前記スイッチング素子をオフさせることを特徴とする電子制御装置。
【発明の詳細な説明】
【技術分野】
【０００１】
本発明は、動作電圧がリセット電圧閾値以下になることに基づいて演算部のリセットを行う電子制御装置に関する。
【背景技術】
【０００２】
この種の電子制御装置としては、特許文献１に記載の電子制御装置がある。この電子制御装置は、車両に搭載されており、例えばエンジンの駆動を制御する。この電子制御装置は、電源リレーを介してバッテリ電圧が印加される電源端子を備えている。電源リレーは、イグニッションスイッチのオン操作に基づいてオンされる。すなわち、電源端子には、イグニッションスイッチのオン操作に基づいてバッテリ電圧が印加される。電子制御装置は、電源端子から各種電子機器に電圧を供給するための給電ラインと、当該給電ラインに接続されるコンデンサとを備えている。コンデンサは、給電ラインに瞬断が生じた場合でも、各種電子機器への電圧供給を確保するためのものである。給電ラインの瞬断とは、極短い期間だけ給電ラインが断線状態となる現象である。給電ラインの瞬断は、エンジン動作時の車両振動に基づく電源端子の接続不良等により発生する。
【先行技術文献】
【特許文献】
【０００３】
【特許文献１】特開平１１−２８５１５７号公報
【発明の概要】
【発明が解決しようとする課題】
【０００４】
ところで、特許文献１に記載の電子制御装置では、給電ラインに瞬断が生じている期間が長くなると、コンデンサの蓄電量だけでは各種電子機器への供給電圧を確保することが難しくなる。このような状況では、各種電子機器に供給される動作電圧が時間の経過に伴い低下する。電子制御装置には、動作電圧が所定のリセット電圧閾値以下となった場合に、演算部であるマイクロコンピュータをリセット（初期化）する機能を有しているものがある。このような電子制御装置では、給電ラインの瞬断に起因して動作電圧が所定の閾値以下になると、演算部がリセットされるため、電子制御装置としての適切な動作を確保することができない等の不都合が生じるおそれがある。
【０００５】
本発明は、こうした実情に鑑みてなされたものであり、その目的は、給電ラインの瞬断発生時に、より的確に演算部の動作を維持することのできる電子制御装置を提供することにある。
【課題を解決するための手段】
【０００６】
上記課題を解決する電子制御装置（１）は、電源リレー（４）を介してバッテリ電圧（ＶＢＴ）が印加される給電ライン（Ｌ２０）を有し、当該給電ラインを介して供給されるバッテリ電圧に基づいて動作電圧（ＶＯＭ）を生成するとともに、当該動作電圧がリセット電圧閾値以下になることに基づいて演算部（１０）のリセットを行う。電子制御装置は、イグニッションスイッチ（３）がオン状態になった際にオン信号としてバッテリ電圧が印加される信号ライン（Ｌ１０）と、前記信号ラインと前記給電ラインとを接続するバイパスライン（Ｌ３０）と、オン状態であるときに前記バイパスラインを接続状態とし、オフ状態であるときに前記バイパスラインを遮断状態にするスイッチング素子（１６）と、前記信号ラインに設けられる整流素子（Ｄ３０）と、前記給電ラインに印加されている電圧が所定の電圧閾値以下であるときに前記スイッチング素子をオンさせる駆動部（１７）と、を備える。
【０００７】
この構成によれば、給電ラインの瞬断により給電ラインに印加されている電圧が所定の電圧閾値以下になると、スイッチング素子がオンされるため、信号ラインからバイパスラインを介して給電ラインにバッテリ電圧が印加される。これにより、動作電圧がリセット電圧閾値以下になることを回避できるため、より的確に演算部の動作を維持することができる。
【０００８】
なお、上記手段、及び特許請求の範囲に記載の括弧内の符号は、後述する実施形態に記載の具体的手段との対応関係を示す一例である。
【発明の効果】
【０００９】
本発明によれば、給電ラインの瞬断発生時に、より的確に演算部の動作を維持することができる。
【図面の簡単な説明】
【００１０】
【図１】電子制御装置の第１実施形態についてその概略構成を示すブロック図である。
【図２】電子制御装置の第２実施形態についてその概略構成を示すブロック図である。
【図３】第２実施形態の電子制御装置により実行される処理の手順を示すフローチャートである。
【図４】電子制御装置の第３実施形態についてその概略構成を示すブロック図である。
【発明を実施するための形態】
【００１１】
＜第１実施形態＞
以下、電子制御装置の一実施形態について説明する。図１に示される電子制御装置１は、例えばエンジンの駆動を制御する電子制御装置である。
【００１２】
図１に示されるように、電子制御装置１は、入力端子Ｔ１と、給電端子Ｔ２と、出力端子Ｔ３とを備えている。
【００１３】
入力端子Ｔ１はイグニッションスイッチ３を介してバッテリ２に接続されている。すなわち、イグニッションスイッチ３がオン状態になると、入力端子Ｔ１にオン信号としてバッテリ電圧ＶＢＴが印加される。
【００１４】
給電端子Ｔ２はリレースイッチ４０を介してバッテリ２に接続されている。出力端子Ｔ３はリレーコイル４１を介してバッテリ２に接続されている。リレースイッチ４０及びリレーコイル４１は電源リレー４を構成している。
【００１５】
電子制御装置１は、入力端子Ｔ１に接続される信号ラインＬ１０と、給電端子Ｔ２に接続される給電ラインＬ２０とを備えている。また、電子制御装置１は、演算部としてのマイクロコンピュータ１０と、電源ＩＣ１２と、トランジスタ１３〜１５と、コンデンサＣ２０とを備えている。以下、マイクロコンピュータ１０を「マイコン１０」と略記する。
【００１６】
マイコン１０は信号ラインＬ１０を介して入力端子Ｔ１に接続されている。信号ラインＬ１０には、ダンピング抵抗Ｒ１１と、ローパスフィルタ１１とが設けられている。ローパスフィルタ１１は、抵抗Ｒ１０とコンデンサＣ１０とにより構成されるＲＣ回路からなる。ローパスフィルタ１１は、入力端子Ｔ１に入力されるバッテリ電圧ＶＢＴを平滑化してマイコン１０に印加する。ダンピング抵抗Ｒ１１は、ローパスフィルタ１１のコンデンサＣ１０に対して並列接続されている。
【００１７】
トランジスタ１５はＮＰＮ型トランジスタである。トランジスタ１５のコレクタ端子は出力端子Ｔ３に接続されている。トランジスタ１５のエミッタ端子は接地されている。トランジスタ１５のベース端子は信号ラインＬ１０に接続されている。すなわち、イグニッションスイッチ３のオン操作に伴い信号ラインＬ１０にバッテリ電圧ＶＢＴが印加されると、トランジスタ１５がオン状態になる。これにより、リレーコイル４１に電流が流れるため、リレースイッチ４０がオン状態になり、給電端子Ｔ２にバッテリ電圧ＶＢＴが印加される。イグニッションスイッチ３がオフ操作されると、トランジスタ１５がオフ状態になるため、リレースイッチ４０がオフ状態になる。よって、給電端子Ｔ２にはバッテリ電圧ＶＢＴが印加されなくなる。
【００１８】
トランジスタ１３及びトランジスタ１４はＰＮＰ型トランジスタである。トランジスタ１３のエミッタ端子及びトランジスタ１４のエミッタ端子は給電ラインＬ２０に並列に接続されている。トランジスタ１３のベース端子及びトランジスタ１４のベース端子は電源ＩＣ１２に接続されている。
【００１９】
電源ＩＣ１２は、トランジスタ１３のベース電圧を変化させることによりトランジスタ１３をオン／オフさせる。電源ＩＣ１２は、トランジスタ１３のオン／オフを通じて、給電ラインＬ２０から供給されるバッテリ電圧ＶＢＴを降圧し、動作電圧ＶＯＭを生成する。動作電圧ＶＯＭは、マイコン１０等の電子制御装置１に搭載される各種電子機器を動作させるために用いられる。
【００２０】
電源ＩＣ１２は、トランジスタ１４のベース電圧を変化させることによりトランジスタ１４をオン／オフさせる。電源ＩＣ１２は、トランジスタ１４のオン／オフを通じて、給電ラインＬ２０から供給されるバッテリ電圧ＶＢＴを降圧し、バックアップ電圧ＶＯＳを生成する。バックアップ電圧ＶＯＳは、例えばイグニッションスイッチ３がオフされた場合でもマイコン１０や図示しないＲＡＭ等の電子機器への電力供給を可能にする。
【００２１】
電源ＩＣ１２は動作電圧ＶＯＭを常時監視している。電源ＩＣ１２は、動作電圧ＶＯＭがリセット電圧閾値Ｖｔｈｒ以下になった場合には、マイコン１０にリセット信号を送信することによりマイコン１０をリセットする。
【００２２】
給電ラインＬ２０にはコンデンサＣ２０が接続されている。コンデンサＣ２０は、給電ラインＬ２０に印加される電圧に基づいて蓄電する。コンデンサＣ２０は、例えば給電端子Ｔ２の接続不良により給電ラインＬ２０に瞬断が生じた際に、蓄えられた電圧を放電することにより、動作電圧ＶＯＭ及びバックアップ電圧ＶＯＳを確保する機能を有している。
【００２３】
電子制御装置１は、信号ラインＬ１０と給電ラインＬ２０とを接続するバイパスラインＬ３０を備えている。バイパスラインＬ３０には、信号ラインＬ１０側から順に、整流素子としてのダイオードＤ３０と、スイッチング素子としてのＭＯＳＦＥＴ（電界効果型トランジスタ）１６とが配置されている。ＭＯＳＦＥＴ１６のゲート端子とソース端子は抵抗Ｒ３０を介して電気的に接続されている。ＭＯＳＦＥＴ１６は、オン状態であるときにバイパスラインＬ３０を接続状態に、すなわち信号ラインＬ１０と給電ラインＬ２０とを接続状態にする。ＭＯＳＦＥＴ１６は、オフ状態であるときにバイパスラインＬ３０を遮断状態に、すなわち信号ラインＬ１０と給電ラインＬ２０とを遮断状態にする。ダイオードＤ３０は、信号ラインＬ１０から給電ラインＬ２０に一方向に電流を流す整流機能を有している。
【００２４】
電子制御装置１は、ＭＯＳＦＥＴ１６をオン／オフさせる駆動部１７を備えている。駆動部１７は、スイッチング素子としてのトランジスタ１４０と、整流素子としてのダイオードＤ２０とを備えている。トランジスタ１４０はＰＮＰ型トランジスタである。
【００２５】
トランジスタ１４０のエミッタ端子はＭＯＳＦＥＴ１６のゲート端子に接続されている。トランジスタ１４０のコレクタ端子は接地されている。トランジスタ１４０のベース端子は抵抗Ｒ３２及び抵抗Ｒ３３を介して接地されている。また、トランジスタ１４０のベース端子は抵抗Ｒ３１を介してバイパスラインＬ３０上の接続点Ｐ１に接続されている。接続点Ｐ１は、ダイオードＤ３０とＭＯＳＦＥＴ１６のソース端子との間に位置している。
【００２６】
ダイオードＤ２０は、抵抗Ｒ３２及び抵抗Ｒ３３の間の接続点Ｐ２と給電ラインＬ２０上の接続点Ｐ３との間に設けられている。ダイオードＤ３０は、接続点Ｐ３から接続点Ｐ２に向けて一方向に電流を流す整流素子として機能する。
【００２７】
次に、本実施形態の電子制御装置１の動作例について説明する。
イグニッションスイッチ３がオン操作された場合、信号ラインＬ１０にはバッテリ電圧ＶＢＴが印加されるため、バイパスラインＬ３０上の接続点Ｐ１の電圧はバッテリ電圧ＶＢＴに略等しくなる。また、イグニッションスイッチ３のオン操作に伴い電源リレー４がオン状態になると、給電ラインＬ２０の接続点Ｐ３にはバッテリ電圧ＶＢＴが印加されるため、接続点Ｐ２の電圧もバッテリ電圧ＶＢＴに略等しくなる。このとき、トランジスタ１４０のベース電圧とエミッタ電圧とが略等しくなるため、トランジスタ１４０はオフ状態になる。このような状況では、ＭＯＳＦＥＴ１６のソース電圧とゲート電圧とが略等しくなるため、ＭＯＳＦＥＴ１６がオフ状態になる。すなわち、信号ラインＬ１０から給電ラインＬ２０への電力供給が停止されている。
【００２８】
一方、給電ラインＬ２０に瞬断が極短い期間だけ発生した場合、コンデンサＣ２０に蓄えられた電力により給電ラインＬ２０の電圧が維持される。しかしながら、給電ラインＬ２０に瞬断が生じている期間が長くなると、コンデンサＣ２０の蓄電量だけでは給電ラインＬ２０の電圧を維持することが難しくなる。
【００２９】
この点、本実施形態の電子制御装置１では、コンデンサＣ２０の蓄電量の低下に伴い給電ラインＬ２０上の接続点Ｐ３の電圧が低下すると、接続点Ｐ２の電圧が低下し、トランジスタ１４０がオン状態になる。本実施形態では、接続点Ｐ３の電圧が所定の閾値電圧Ｖｔｈ以下になることに基づいて、すなわち給電ラインＬ２０に印加されている電圧が所定の閾値電圧Ｖｔｈ以下になることに基づいてトランジスタ１４０がオン状態になる。閾値電圧Ｖｔｈの大きさは、信号ラインＬ１０に供給されるバッテリ電圧ＶＢＴの大きさを基準として抵抗Ｒ３１，Ｒ３２のそれぞれの抵抗値の大きさに基づいて設定されている。
【００３０】
トランジスタ１４０がオン状態になることによりＭＯＳＦＥＴ１６のゲート端子の電位がソース端子の電位よりも低くなるため、ＭＯＳＦＥＴ１６がオン状態になる。なお、ここでのＭＯＳＦＥＴ１６のオン状態には、飽和領域でのオン状態のみならず、活性化領域（能動領域）での半オン状態も含まれている。ＭＯＳＦＥＴ１６がオン状態になることにより信号ラインＬ１０からバイパスラインＬ３０を介して給電ラインＬ２０にバッテリ電圧ＶＢＴが印加される。これにより、コンデンサＣ２０の蓄電量が低下した場合でも、給電ラインＬ２０の電圧を維持することができる。
【００３１】
本実施形態では、上記の閾値電圧Ｖｔｈの大きさが、動作電圧ＶＯＭがリセット電圧閾値Ｖｔｈｒ以下になることを回避できるように予め実験等を通じて設定されている。これにより、コンデンサＣ２０に蓄えられた電力が低下した場合でも、動作電圧ＶＯＭがリセット電圧閾値Ｖｔｈｒ以下になることを回避できる。よって、マイコン１０のリセットを回避できるため、より的確にマイコン１０の動作を維持することができる。
【００３２】
＜第２実施形態＞
次に、電子制御装置１の第２実施形態について説明する。以下、第１実施形態との相違点を中心に説明する。
【００３３】
図２に示されるように、本実施形態の電子制御装置１は、ＭＯＳＦＥＴ１６のゲート電圧をローパスフィルタ１８を介して取り込んでいる。ローパスフィルタ１８は、抵抗Ｒ４０とコンデンサＣ４０により構成されるＲＣ回路からなる。ローパスフィルタ１８は、ＭＯＳＦＥＴ１６のゲート電圧を平滑化してマイコン１０に印加する。
【００３４】
次に、図３を参照して、ＭＯＳＦＥＴ１６のゲート電圧に基づいてマイコン１０により実行される処理について説明する。なお、マイコン１０は、図３に示される処理を所定の周期で繰り返し実行する。
【００３５】
マイコン１０は、まず、ＭＯＳＦＥＴ１６のゲート電圧に基づいてＭＯＳＦＥＴ１６がオン状態であるか否かを判定する（ステップＳ１）。マイコン１０は、例えばＭＯＳＦＥＴ１６のゲート電圧が所定のオン閾値電圧以下であることをもってＭＯＳＦＥＴ１６がオン状態であると判定する。オン閾値電圧は、ＭＯＳＦＥＴ１６がオン状態であるか否かを判定することができるように予め実験等を通じて設定されている。マイコン１０は、ＭＯＳＦＥＴ１６がオフ状態である場合には（ステップＳ１：ＮＯ）、一連の処理を終了する。
【００３６】
マイコン１０は、ＭＯＳＦＥＴ１６がオン状態である場合には（ステップＳ１：ＹＥＳ）、内蔵されるタイマ等を用いてＭＯＳＦＥＴ１６のオン継続時間を計測する（ステップＳ２）。オン継続時間は、ＭＯＳＦＥＴ１６がオン状態を継続している時間である。ステップＳ２に続いて、マイコン１０は、ＭＯＳＦＥＴ１６のオン継続時間が所定時間以上であるか否かを判断する（ステップＳ３）。所定時間は、給電ラインＬ２０に瞬断状態及び断線状態のいずれが生じているかを判断することができるように予め実験等を通じて設定されている。なお、ここでの断線状態は、給電ラインＬ２０そのものが断線している状態に限らず、給電ラインＬ２０に電圧が印加されていない状態を示している。
【００３７】
マイコン１０は、ＭＯＳＦＥＴ１６のオン継続時間が所定時間未満である場合には（ステップＳ３：ＮＯ）、給電ラインＬ２０に瞬断が生じていると判定し（ステップＳ４）、一連の処理を終了する。
【００３８】
マイコン１０は、ＭＯＳＦＥＴ１６のオン継続時間が所定時間以上である場合には（ステップＳ３：ＹＥＳ）、給電ラインＬ２０が断線状態であると判定する（ステップＳ５）。この場合、マイコン１０は、図２に示されるように、車両に設けられた報知装置５を通じて運転者に対して異常を報知する（ステップＳ６）。報知装置５は、例えば車両のインストルメントパネルに設けられる警告灯である。この場合、マイコン１０は、警告灯を点灯させることにより運転者に対して異常を報知する。
【００３９】
このように、本実施形態のマイコン１０は、給電ラインＬ２０が瞬断状態及び断線状態のいずれであるかを判定する異常判定部として機能する。このような構成によれば、報知装置５の報知を通じて給電ラインＬ２０の断線状態を運転者が認知することができるため、運転者が異常に対して迅速に対処し易くなる。
【００４０】
＜第３実施形態＞
次に、電子制御装置１の第３実施形態について説明する。以下、第２実施形態との相違点を中心に説明する。
【００４１】
給電ラインＬ２０が断線状態になると、ＭＯＳＦＥＴ１６がオン状態に維持されるため、ＭＯＳＦＥＴ１６が発熱により損傷するおそれがある。そこで、本実施形態のマイコン１０は、給電ラインＬ２０の断線状態を検出した際にＭＯＳＦＥＴ１６を強制的にオフさせる。
【００４２】
詳しくは、図４に示されるように、本実施形態の駆動部１７は、スイッチング素子としてのＭＯＳＦＥＴ１４１を備えている。ＭＯＳＦＥＴ１４１のドレイン端子はバイパスラインＬ３０上の接続点Ｐ４に電気的に接続されている。接続点Ｐ４は、ダイオードＤ３０とＭＯＳＦＥＴ１６のソース端子との間に位置している。ＭＯＳＦＥＴ１４１のソース端子はトランジスタ１４０のベース端子に電気的に接続されている。ＭＯＳＦＥＴ１４１のゲート端子は抵抗Ｒ３４を介してＭＯＳＦＥＴ１４１のドレイン端子に電気的に接続されている。また、ＭＯＳＦＥＴ１４１のゲート端子は抵抗Ｒ３５を介して接地されている。さらに、ＭＯＳＦＥＴ１４１のゲート端子にはマイコン１０から電圧が印加される。
【００４３】
イグニッションスイッチ３がオン状態の場合、ＭＯＳＦＥＴ１４１のドレイン端子にはバッテリ電圧ＶＢＴが印加されている。また、ＭＯＳＦＥＴ１４１のゲート端子には、バッテリ電圧ＶＢＴを抵抗Ｒ３４及び抵抗Ｒ３５に基づいて分圧した電圧が印加されている。すなわち、ＭＯＳＦＥＴ１４１のゲート電圧はドレイン電圧よりも低くなっているため、ＭＯＳＦＥＴ１４１はオフ状態になっている。
【００４４】
マイコン１０は、図３の処理に基づいて給電ラインＬ２０が断線状態であると判定した場合、ＭＯＳＦＥＴ１４１のゲート端子に電圧を印加することによりＭＯＳＦＥＴ１４１をオンさせる。これにより、トランジスタ１４０のベース端子にバッテリ電圧ＶＢＴが印加されるため、トランジスタ１４０がオフ状態になり、ＭＯＳＦＥＴ１６が強制的にオフ状態になる。これにより、給電ラインＬ２０が断線状態の場合において、ＭＯＳＦＥＴ１６の損傷を未然に回避することができる。
【００４５】
＜他の実施形態＞
なお、上記実施形態は、以下の形態にて実施することもできる。
・第２実施形態及び第３実施形態では、マイコン１０を異常判定部として用いたが、マイコン１０とは別に異常判定部を電子制御装置１に設けてもよい。
【００４６】
・第２実施形態のマイコン１０は、給電ラインＬ２０が断線状態であると判定したときに報知装置５による報知を行うこととしたが、報知とは別の処理を行ってもよい。
【００４７】
・トランジスタ１３〜１５、ＭＯＳＦＥＴ１６、トランジスタ１４０、及びＭＯＳＦＥＴ１４１は任意のスイッチング素子に変更することが可能である。
【００４８】
・本発明は上記の具体例に限定されるものではない。すなわち、上記の具体例に、当業者が適宜設計変更を加えたものも、本発明の特徴を備えている限り、本発明の範囲に包含される。例えば、前述した各具体例が備える各要素及びその配置や条件等は、例示したものに限定されるわけではなく適宜変更することができる。また、前述した実施形態が備える各要素は、技術的に可能な限りにおいて組み合わせることができ、これらを組み合わせたものも本発明の特徴を含む限り本発明の範囲に包含される。
【符号の説明】
【００４９】
ＶＢＴ：バッテリ電圧
Ｄ３０：ダイオード（整流素子）
Ｌ１０：信号ライン
Ｌ２０：給電ライン
Ｌ３０：バイパスライン
ＶＯＭ：動作電圧
１：電子制御装置
３：イグニッションスイッチ
４：電源リレー
５：報知装置
１０：マイコン（演算部，異常判定部）
１６：ＭＯＳＦＥＴ（スイッチング素子）
１７：駆動部
【図１】
2016208627.tif 000003
【図２】
2016208627.tif 000004
【図３】
2016208627.tif 000005
【図４】
2016208627.tif 000006